(57)【要約】【課題】コストが上がるような複雑な機構を設けずに、使い勝手のよい記録ディスク用のケースを提供する。【解決手段】記録ディスクを保持する機構を有するディスク保持部１０と、ディスク保持部により保持された記録ディスクを被装する蓋部２０とから構成される。これら２つの部品が擦動することにより、閉位置と開位置とが切り替わる開閉機構を有している。また閉位置と開位置との間の任意の位置において、ディスク保持部が擦動により突出する方向を下方にして傾けた状態で、ディスク保持部の自重、又は自重と保持された記録ディスクの重量とによって、ディスク保持部が下方へ擦動し、開位置へ移行するように２つの部品の位置関係が調整されている。さらに使用者が、閉位置において片手による所定の解除操作を行うことにより係止状態が解除されディスク保持部が下方へ擦動し始める。【選択図】図７Ｂ
2010241489.tif 000002
【特許請求の範囲】
【請求項１】
記録ディスク用のケースであって、
記録ディスクを、その片面が露出した状態で保持する機構を有するディスク保持部と、
閉位置において、前記ディスク保持部により片面が露出した状態で保持された記録ディスクを、外部から取り出し不能な状態となるように、当該露出した片面を被装し、開位置において、当該記録ディスクを、外部から取り出し可能な状態となるように、当該露出した片面を被装しない蓋部と、の２つの部品から構成され、
前記２つの部品が擦動することにより、前記閉位置と前記開位置とが切り替わる開閉機構を有しており、
前記閉位置と前記開位置との間の任意の位置において、前記ディスク保持部が擦動する方向を下方にして傾けた状態で、当該ディスク保持部の自重、又は、当該自重と保持された記録ディスクの重量との合計の重さによって、当該ディスク保持部が下方へ擦動し、前記開位置へ移行するように、前記２つの部品の位置関係が調整されていることを特徴とする、記録ディスク用のケース。
【請求項２】
前記閉位置において、前記傾けた状態にしただけでは擦動を開始しない係止状態にする係止機構を、さらに有し、
使用者が、前記閉位置において、片手で前記蓋部の所定の部分を保持したまま、前記傾けた状態にし、当該片手による所定の解除操作を行うことにより、当該係止状態が解除され、当該ディスク保持部が下方へ擦動し始めることを特徴とする、請求項１に記載の記録ディスク用のケース。
【請求項３】
前記自重、又は当該自重と記録ディスクの重量との合計の重さによって、前記開位置へ移行するときの速度を調整する調速機構を、さらに有することを特徴とする、請求項２に記載の記録ディスク用のケース。
【請求項４】
前記ディスク保持部は、１個の一体成型が可能な形状の樹脂材からなるか、又は２個の一体成型が可能な形状の樹脂材が嵌合されて形成されており、
前記蓋部は、１個の一体成型が可能な形状の樹脂材からなり、前記閉位置において、前記ディスク保持部の記録ディスクを保持する面を被装する内側上面と、当該内側上面と略垂直であり、前記擦動する方向を長手方向とし、かつ互いに略平行で対向している２つの内側側面とを有しており、
前記開閉機構は、
前記蓋部における前記２つの内側側面の組、及び、当該２つの内側側面によりそれぞれ被装される前記ディスク保持部における２つの面の組のうちの、いずれか一方の組の２つの面のそれぞれに、前記擦動する方向に伸延する案内溝が設けられ、他方の組の２つの面のそれぞれに、当該擦動する方向に伸延する線状突起が設けられ、当該案内溝のそれぞれに、対応する当該線状突起が緩嵌され、これらが当該擦動する方向にずれることにより、前記閉位置と前記開位置とが切り替わるものであり、
前記係止機構は、
前記それぞれの案内溝の組、及び、前記それぞれの線状突起の組のうちの、いずれか一方の組のそれぞれに、１又は複数の部分突起を設け、他方の組のそれぞれに、１又は複数の係止孔を設け、当該係止孔に、対応する当該部分突起が緩嵌されることにより、前記係止状態になるものであり、
前記調速機構は、
前記部分突起を設けない方の、前記案内溝の深さ、又は前記線状突起の高さが一様ではなく、当該深さ、又は高さは、開閉の程度に応じて適宜調整されており、当該部分突起の全部、又は一部が、深さが適宜調整された前記案内溝、又は高さが適宜調整された前記線状突起に添って擦動することにより、前記開位置へ移行するときの速度が調整されるものであることを特徴とする、請求項３に記載の記録ディスク用のケース。
【請求項５】
前記ディスク保持部は、
記録ディスクの外周における所定幅の円弧を、記録ディスクの中心軸に向かう方向へ突出する突起により拘束する円弧状突起を、複数個、間隔をあけて設けることを特徴とする、請求項１〜４のいずれか１項に記載の記録ディスク用のケース。
【請求項６】
前記ディスク保持部は、
使用者が、記録ディスクが保持された当該ディスク保持部を捻ることにより、前記円弧状突起に拘束された外周が外れて、記録ディスクの保持が解除されるように、当該円弧状突起の形状、及び配置が調整されていることを特徴とする、請求項５に記載の記録ディスク用のケース。
【発明の詳細な説明】
【技術分野】
【０００１】
本発明は、記録ディスク用のケースに関し、より特定的には、記録ディスクを収納するケースの構造的な改良に関する。
【背景技術】
【０００２】
近年、ＣＤ、ＤＶＤ、及びブルーレイディスク等の、記録ディスクの普及が目覚しい。
記録ディスクは、主に破損や読み取り面を傷や汚れから保護するために、専用のケースに収納される。
例えば商業音楽ＣＤが販売されるときに収納されている付属ケースには、ポリスチレン等の硬質樹脂からなり、方形のベース内にＣＤを固定する内枠が嵌り、これに回転蓋が取り付けられた３ピース型のジュエルケースがよく用いられている（外寸は、およそ縦幅１２４.５ｍｍ、横幅１４２.０ｍｍ、厚さ１０.４ｍｍ）。
【０００３】
また、上記ジュエルケースにおけるベースと内枠とを、一体化して薄型化した２ピーススリム型ケースは、その厚さがジュエルケースの半分程度で嵩張らないので、これも一般的によく用いられている（外寸は、およそ縦幅１２４.５ｍｍ、横幅１４２.０ｍｍ、厚さ５.２ｍｍ）。
また映画のＤＶＤが販売されるときに収納されている付属ケースには、ポリプロピレン等の軟質樹脂からなり、ベース、内枠、及び回転蓋が一体成型されたＤＶＤＰＰケースが用いられることが多い（外寸は、およそ縦幅１９０ｍｍ、横幅１３６ｍｍ、厚さ１５ｍｍ）。
上記のような一般的な記録ディスク用のケースは、通常使用者がベースの部分を保持して、ベースの一辺、又は当該一辺に平行な回転軸を中心に、回転蓋を回転させることによって開閉することができる。
【０００４】
しかしながら、上記ケースから記録ディスクを取り出す際において、ケースを開く時に両手が塞がってしまう点や、内枠に固定された記録ディスクが取り外し難い点などから、当該ケースはあまり使い勝手がよいものではないと思われる。また、ケースの開閉やディスクの取り外しにある程度のスペースが必要なので、狭い場所で使用し難いという問題もある。例えば、上記ジュエルケースや２ピーススリム型ケースでは、基本的に、使用者が片手でしっかりとベースの部分を保持し、もう一方の手で回転蓋を回転軸方向に挟んで左右に引っ張らなければケースを開けることができず、また、開いたケースを平らな場所に置いて、内枠の中央部にあるディスク保持機構を、上から押える等して解除しなければディスクを取り外すことができない。
従来の記録ディスク用のケースとしては、壁掛けできるＣＤケースが開示されている（特許文献１〜３を参照）。
【先行技術文献】
【特許文献】
【０００５】
【特許文献１】特開２００３−０５４６７４号公報
【特許文献２】特開２００３−０６３５８３号公報
【特許文献３】特開２００３−０６３５８４号公報
【発明の概要】
【発明が解決しようとする課題】
【０００６】
例えば、記録ディスク用のケースに、動力を内蔵して自動的に蓋が開く機構や、蓋が開いたことを感知して自動的にディスクを取り外す機構など、便利な機構を次々と追加していけば、使い勝手のよいものができるかもしれない。
しかしながら、このようなケースを実際に作るとなると、普通に考えるとどうしても構造が複雑になってしまうため、製造コストが何倍にも膨れ上がってしまう。これでは販売価格が高価になるので、あまり普及することはないものと思われる。特に、商業音楽ＣＤやブランクＣＤを販売するときの付属ケースとして利用される等、広く普及するようになる為には、使い勝手がよいだけでなく、少なくとも価格が、例えば上記ジュエルケースと同等か、あるいは同等以下でなければならない。
それ故に、本発明の目的は、コストが上がるような複雑な機構を設けずに、使い勝手のよい記録ディスク用のケースを提供することである。
【課題を解決するための手段】
【０００７】
本発明は、記録ディスク用のケースに向けられている。そして上記課題を解決するために、本発明の記録ディスク用のケースは、ディスク保持部と蓋部との２つの部品から構成される。
ディスク保持部は、記録ディスクを、その片面が露出した状態で保持する機構を有する。蓋部は、閉位置において、ディスク保持部により片面が露出した状態で保持された記録ディスクを、外部から取り出し不能な状態となるように、露出した片面を被装し、開位置において、記録ディスクを、外部から取り出し可能な状態となるように、露出した片面を被装しない。
【０００８】
ここで、本発明の記録ディスク用のケースは、これら２つの部品が擦動することにより、閉位置と開位置とが切り替わる開閉機構を有している。また閉位置と開位置との間の任意の位置において、ディスク保持部が擦動により突出する方向を下方にして傾けた状態で、ディスク保持部の自重、又は、自重と保持された記録ディスクの重量との合計の重さによって、ディスク保持部が下方へ擦動し、開位置へ移行するように２つの部品の位置関係が調整されている。
【０００９】
好ましくは、閉位置において、傾けた状態にしただけでは、擦動を開始しない係止状態にする係止機構をさらに有し、使用者が、閉位置において、片手で蓋部の所定の部分を保持したまま傾けた状態にし、片手による所定の解除操作を行うことにより、係止状態が解除され、ディスク保持部が下方へ擦動し始めるとよい。
好ましくは、自重、又は自重と記録ディスクの重量との合計の重さによって、開位置へ移行するときの速度を調整する調速機構をさらに有するとよい。
【００１０】
好ましくは、ディスク保持部は、１個の一体成型が可能な形状の樹脂材からなるか、又は２個の一体成型が可能な形状の樹脂材が嵌合されて形成されるとよい。また蓋部は、１個の一体成型が可能な形状の樹脂材からなり、閉位置において、ディスク保持部の記録ディスクを保持する面を被装する内側上面と、内側上面と略垂直であり、擦動する方向を長手方向とし、かつ互いに略平行で対向している２つの内側側面とを有しているとよい。また開閉機構は、蓋部における２つの内側側面の組、及び、２つの内側側面によりそれぞれ被装されるディスク保持部における２つの面の組のうちの、いずれか一方の組の２つの面のそれぞれに、擦動する方向に伸延する案内溝が設けられ、他方の組の２つの面のそれぞれに、擦動する方向に伸延している線状突起が設けられ、案内溝のそれぞれに、対応する当該線状突起が緩嵌され、これらが擦動する方向にずれることにより、閉位置と開位置とが切り替わるものであるとよい。また係止機構は、それぞれの案内溝の組、及びそれぞれの線状突起の組のうち、いずれか一方の組のそれぞれに、１、又は複数の部分突起を設け、他方の組のそれぞれに、１、又は複数の係止孔を設け、係止孔に、対応する部分突起が緩嵌されることにより、係止状態になるものであるとよい。また調速機構は、部分突起を設けない方の、案内溝の深さ、又は線状突起の高さが一様ではなく、深さ、又は高さは、開閉の程度に応じて適宜調整されており、部分突起の全部、又は一部が、深さが適宜調整された案内溝、又は高さが適宜調整された線状突起に添って擦動することにより、開位置へ移行するときの速度が調整されるものであるとよい。
【００１１】
好ましくは、前記ディスク保持部は、記録ディスクの外周における所定幅の円弧を、記録ディスクの中心軸に向かう方向へ突出する突起により拘束する円弧状突起を、複数個、間隔をあけて設けるとよい。
好ましくは、ディスク保持部は、使用者が、記録ディスクが保持されたディスク保持部を捻ることにより、円弧状突起に拘束された外周が外れて、記録ディスクの保持が解除されるように円弧状突起の形状、及び配置が調整されているとよい。
【発明の効果】
【００１２】
以上のように、本発明においては、ディスク保持部と蓋部とが擦動して開閉可能なように組み合わせただけの比較的簡単な構造でありながら、ディスク保持部を固定し傾けた状態で、ディスク保持部の自重、又は記録ディスクの重量との合計の重さによって、蓋部が下方へずれて、記録ディスクが外部から取り出し可能な状態となるように、２つの部品の位置関係が調整されているため、特別な動力を必要とせず、また、開く時に両手が塞がってしまうこともなく、狭い場所でも使用し易い。
【００１３】
よって、コストが上がるような複雑な機構を設けずに、使い勝手のよい記録ディスク用のケースを提供することができる。
また、記録ディスクの外周における所定幅の円弧を突起により拘束する突起部を複数個間隔をあけて設けることにより、ディスク保持部を捻るだけで記録ディスクを外すことができ、さらに使い勝手がよい。
【図面の簡単な説明】
【００１４】
【図１Ａ】本発明の第１の実施形態に係る記録ディスク用のケース１００のケースを少し開いた状態を示す斜視図
【図１Ｂ】本発明の第１の実施形態に係る記録ディスク用のケース１００のケースを一杯に開いた状態を示す斜視図
【図２Ａ】ディスク保持部１０を、擦動により突出する方向から見た斜視図
【図２Ｂ】ディスク保持部１０を、図２Ａ中の１点鎖線Ｘ１−Ｘ２、及び２点鎖線Ｙ１−Ｙ２を通る面に沿って切断し矢印Ｚの方向から見た断面図
【図３Ａ】蓋部２０を、図２Ａと同一の方向から見た斜視図
【図３Ｂ】蓋部２０を、図３Ａ中の１点鎖線Ｘ１−Ｘ２、及び２点鎖線Ｙ１−Ｙ２を通る面に沿って切断し矢印Ｚの方向から見た断面図
【図４】係止機構が実現されている様子を示す、１点鎖線Ｘ１−Ｘ２、及び２点鎖線Ｙ１−Ｙ２を通る面に沿って切断した断面図
【図５】調速機構が実現されている様子を示す、１点鎖線Ｘ１−Ｘ２、及び２点鎖線Ｙ１−Ｙ２を通る面に沿って切断した断面図
【図６】抜け落ち防止機構が実現されている様子を示す、１点鎖線Ｘ１−Ｘ２、及び２点鎖線Ｙ１−Ｙ２を通る面に沿って切断した断面図
【図７Ａ】使用者が、解除操作を行い記録ディスクを取り出す実際の様子の一例を示す図（解除操作前）
【図７Ｂ】使用者が、解除操作を行い記録ディスクを取り出す実際の様子の一例を示す図（解除操作後）
【発明を実施するための形態】
【００１５】
（第１の実施形態）
＜構成＞
図１Ａ、図１Ｂは、本発明の第１の実施形態に係る記録ディスク用のケース１００の斜視図である。ここで図１Ａはケースを少し開いた状態、図１Ｂはケースを一杯に開いた状態を示す。
ケース１００は、ＣＤ、ＤＶＤ、及びブルーレイディスク等の、記録ディスク用のケースであって、図１Ａ〜Ｂにおいて、ディスク保持部１０と蓋部２０との２つの部品から構成されている。また、これらの２つの部品は、保持する記録ディスクの主面と平行な方向に擦動するように組み合わされている。ケース１００は、このように擦動することにより、閉位置と開位置とが切り替わる開閉機構を有している。
【００１６】
ここで閉位置とは、記録ディスクが外部から取り出し不能な状態となるように、ディスク保持部１０に保持された記録ディスクの露出した片面を、蓋部２０が被装しているときの位置関係をいい、開位置とは、記録ディスクが外部から取り出し可能な状態となるように、当該記録ディスクの露出した片面を、蓋部２０が被装しないときの位置関係をいう。
さらに、ケース１００は、閉位置と開位置との間の任意の位置において、蓋部２０の方を固定して、ディスク保持部１０が擦動により突出する方向を下方にして斜めに傾けた状態で、記録ディスクが保持されていない場合にはディスク保持部１０の自重によって、あるいは記録ディスクが保持されている場合にはディスク保持部１０の自重と保持された記録ディスクの重量との合計の重さによって、ディスク保持部１０が下方へ擦動し、開位置へ移行するように、擦動する具合等を含む２つの部品の位置関係が調整されている。
【００１７】
またさらに、ケース１００は、閉位置において、上記斜めに傾けた状態にしただけで擦動を開始しない係止状態にする係止機構を有している。
ここで使用者が、閉位置において、片手で蓋部の所定の部分を保持したまま、上記斜めに傾けた状態にし、その片手により所定の解除操作を行うことにより係止状態が解除され、ディスク保持部１０が下方へ擦動し始める。
また、ケース１００は、ディスク保持部１０の自重、又は記録ディスクの重量との合計の重さによって、開位置へ移行するときの速度を調整する調速機構を有している。
【００１８】
図２Ａ〜Ｂ、図３Ａ〜Ｂは、上記各機構の具体的な構造の一例を模式的に表す図である。
ここで図２Ａは、ディスク保持部１０を、擦動により突出する方向から見た斜視図である。図２Ｂは、ディスク保持部１０を図２Ａ中の１点鎖線Ｘ１−Ｘ２、及び２点鎖線Ｙ１−Ｙ２を通る面に沿って切断し矢印Ｚの方向から見た断面図である。図３Ａは、蓋部２０を、図２Ａと同一の方向から見た斜視図である。図３Ｂは、蓋部２０を図３Ａ中の１点鎖線Ｘ１−Ｘ２、及び２点鎖線Ｙ１−Ｙ２を通る面に沿って切断し矢印Ｚの方向から見た断面図である。
【００１９】
図２Ａに示すように、ディスク保持部１０は、ポリスチレン等の硬質樹脂からなる略方形のベース１１と、同じく硬質樹脂からなり、記録ディスクをその片面が露出した状態で保持する保持機構を有する内枠１２とが嵌合されて形成されている。
図２Ａ〜Ｂに示すように、内枠１２における記録ディスクを保持する保持面１３には、記録ディスクの中心孔に合致する大きさの環状突起１４と、記録ディスクの外周の一部、及びその近辺を拘束することにより保持機構を実現する拘束部１５ａ、１５ｂとが設けられている。
【００２０】
拘束部１５ａ、１５ｂは、記録ディスクの外周に沿って設けられ、複数個の円弧状突起１６ａ〜ｃにより、記録ディスクを拘束する。
円弧状突起１６ａ〜ｃは、それぞれが記録ディスクの外周における所定幅の円弧に接する位置に適度な間隔をあけて設けられ、それぞれが接する所定幅の円弧を拘束するように、記録ディスクの中心軸に向かう方向へと突出している。
ここで使用者が、記録ディスクが保持されたディスク保持部１０を捻ると、円弧状突起１６ａ〜ｃに拘束された外周が外れて、記録ディスクの保持が解除される。
なお、本実施の形態では、円弧状突起を、記録ディスクの外周に添って、図示したようにそれぞれ間隔を空けて３個設けているが、円弧状突起の数は２個であってもよいし、４個以上設けても良い。要するに、複数個の円弧状突起を、間隔を空けて設け、ディスク保持部１０全体を捻ると円弧状突起が外れて、記録ディスクの保持が解除されるように拘束部ないしは円弧状突起の幅や突出量等の形状、及び個数や間隔等の配置等が調整されていればよい。
【００２１】
また図２Ａ〜Ｂに示すように、内枠１２における、擦動する方向を長手方向とし保持面１３と略垂直な２つの側面１７ａ、１７ｂには、それぞれ線状突起１８ａ、１８ｂが設けられ、さらにそれぞれの線状突起１８ａ、１８ｂ上の奥側端部近辺に、それぞれ部分突起１９ａ、１９ｂが設けられている。
蓋部２０は、ベース１１及び内枠１２と同様の硬質樹脂からなり、図３Ａ〜Ｂに示すように、閉位置においてディスク保持部１０の保持面１３を被装する内側上面２１と、当該内側上面２１と略垂直で、その長手方向と蓋部２０が擦動する方向とが一致し、互いに略平行で対向している２つの内側側面２２ａ、２２ｂとを有している。
２つの内側側面２２ａ、２２ｂには、それぞれ案内溝２３ａ、２３ｂが設けられ、さらにそれぞれの案内溝２３ａ、２３ｂ内の両端近辺に係止孔２４ａ〜ｄが設けられている。
【００２２】
ここで、蓋部２０の案内溝２３ａ、２３ｂには、それぞれディスク保持部１０の線状突起１８ａ、１８ｂが緩嵌され、これらが擦動する方向にずれることにより、閉位置と開位置とを切り替えることができる。このようにして上記開閉機構が実現されている。
また、閉位置において、蓋部２０の係止孔２４ａ、２４ｂに、それぞれディスク保持部１０の部分突起１９ａ、１９ｂが緩嵌されることにより係止状態になり、使用者が蓋部２０とディスク保持部１０とを擦動する方向にずらすと係止状態が解除される。このようにして上記係止機構が実現されている。
図４は、図２Ｂ、及び図３Ｂと同様に、１点鎖線Ｘ１−Ｘ２、及び２点鎖線Ｙ１−Ｙ２を通る面に沿って切断した断面図において、上記係止機構が実現されている様子を示す図である。
【００２３】
また、蓋部２０の案内溝２３ａ、２３ｂの深さは一様ではなく、開閉の程度に応じて適宜調整されている。これにより、閉位置から開位置までの全域に亘り、ディスク保持部１０の部分突起１９ａ、１９ｂが、それぞれ案内溝２３ａ、２３ｂの底と擦動する際の圧力や抵抗を任意に設定することができる。このようにして上記調速機構が実現されている。
図５は、図２Ｂ、及び図３Ｂと同様に、１点鎖線Ｘ１−Ｘ２、及び２点鎖線Ｙ１−Ｙ２を通る面に沿って切断した断面図において、上記調速機構が実現されている様子を示す図である。
また、開位置においては、蓋部２０の係止孔２４ｃ、２４ｄに、それぞれディスク保持部１０の部分突起１９ａ、１９ｂが緩嵌されることにより係止状態になり、ディスク保持部１０の抜け落ちを防ぐ抜け落ち防止機構が実現されている。
【００２４】
図６は、図２Ｂ、及び図３Ｂと同様に、１点鎖線Ｘ１−Ｘ２、及び２点鎖線Ｙ１−Ｙ２を通る面に沿って切断した断面図において、上記抜け落ち防止機構が実現されている様子を示す図である。
また、図６の状態から、使用者がディスク保持部１０を、強めに引っ張ることにより、蓋部２０からディスク保持部１０を引く抜くことができる。
なお、本実施の形態では、案内溝２３ａ、２３ｂの深さを、閉位置から開位置にかけて、次第に深くなっていくように調整することによって、一旦開き始めた動作が失速して途中で止まるようなことが起こりにくいようにしているが、案内溝２３ａ、２３ｂの深さはこれに限られず、使用者の好みに合わせたり、実験等により最適なパターンを見つけることもできる。例えば、開位置に近づくと、逆に案内溝２３ａ、２３ｂの深さを浅くして、ブレーキを強めるようにしてもよい。
【００２５】
また、本実施の形態では、案内溝を蓋部２０に設け、線状突起をディスク保持部１０に設けたが、これとは逆に、案内溝をディスク保持部１０に設け、線状突起を蓋部２０に設けることもできる。要するに、蓋部２０の内側側面２２ａ、２２ｂの組、及び、ディスク保持部１０の側面１７ａ、１７ｂの組のうちの、いずれか一方の組の２つの面のそれぞれに、擦動する方向に伸延する案内溝を設け、他方の組の２つの面のそれぞれに、擦動する方向に伸延する線状突起を設け、案内溝のそれぞれに、対応する線状突起が緩嵌され、これらが擦動する方向にずれることにより、閉位置と開位置とが切り替わればよい。
【００２６】
さらにまた、本実施の形態では、係止孔を案内溝内に設け、部分突起を線状突起上に設けたが、これとは逆に、係止孔を線状突起上に設け、部分突起を案内溝内に設けることもできる。要するに、上記それぞれの案内溝の組、及び上記それぞれの線状突起の組のうちの、いずれか一方の組のそれぞれに部分突起を設け、他方の組のそれぞれに、各部分突起に対応する係止孔を設け、係止孔に、対応する部分突起が緩嵌されることにより、係止状態になればよい。但し、このような場合には、案内溝の深さを適宜調整するのではなく、線状突起の高さを適宜調整しなければならない。要するに、部分突起と擦動する際の圧力や抵抗を任意に設定する必要があるので、部分突起を設けない方の、案内溝の深さ、又は線状突起の高さを適宜調整しなければならないのである。
また、部分突起は、本実施の形態では、各線状突起上に１個づつ設けたが、各案内溝内、又は各線状突起上に２個以上づつであってもよいし、各線状突起で個数が異なっていてもよい。同様に、係止孔は、本実施の形態では、各案内溝内に２個づつであったが、各案内溝内、又は各線状突起上に１個づつであっても、３個以上づつであってもよいし、各線状突起で個数が異なっていてもよい。
【００２７】
以上のように、本願の実施の形態に係るケース１００は、ディスク保持部１０と蓋部２０との間に、案内溝、線状突起、部分突起、及び係止孔を、適宜設けることによって、上記開閉機構、係止機構、調速機構、及び抜け落ち防止機構等を実現している。ここで案内溝、線状突起、部分突起、及び係止孔は全て、別部品を追加する必要がなく、内枠１２、及び蓋部２０の外形を変更することにより形成が可能であるため、ベース１１、内枠１２、及び蓋部２０は、それぞれ、金型を用いたプレス加工等による一体成型により生成が可能な形状となる。従って、本実施の形態では、原則的に、ベース１１、内枠１２、及び蓋部２０は、それぞれ別途に一体成型により生成される。但し、一体成型によらずに、それぞれを複数のサブパーツを組み合わせて生成しても同等なものが製造できるので、必ずしも一体成型によって生成しなくてもよいが、量産する際には、製造コストを抑えるために一体成型によって生成することが望ましい。
【００２８】
なお、ディスク保持部１０を、ベース１１と内枠１２とに分けずに、一体成型によって生成してもよい。このような場合には、ディスク保持部１０、及び蓋部２０が、それぞれ、一体成型により生成が可能な形状となる。但し、例えば商業音楽ＣＤを販売するときの付属ケースとして利用する場合等には、ディスク保持部１０をベース１１と内枠１２とに分けて生成し、これらの間にレーベルを入れる場所を確保することが望ましい。
＜使用例＞
以下に、ケース１００の使用例を示す。
図７Ａ〜Ｂは、使用者が、上記解除操作を行い記録ディスクを取り出す実際の様子の一例を示す図である。
【００２９】
（１）図７Ａに示すように、使用者が、例えば、記録ディスクの表面側から見て、記録ディスクが入ったケース１００の左側面に左手の掌の中央付近を押し当て（図中Ａ）、表面左上辺りに親指（図中Ｂ）を、上側面に人差し指（図中Ｃ）を当て、主にこの３点支持で蓋部２０の左上角部分を保持し、さらに裏面のベース１１に中指（図中Ｄ）、薬指（図中Ｅ）、及び小指（図中Ｆ）を添え、ディスク保持部１０を擦動により突出する方向が下になるように（例えば地表面に対して４５度程度の角度となるように）傾ける。
（２）ここで、図７Ｂに示すように、使用者が、掌の中央付近（図中Ａ）、親指（図中Ｂ）、及び人差し指（図中Ｃ）を基準に、中指（図中Ｄ’）、薬指（図中Ｅ’）、及び小指（図中Ｆ’）を下方向へずらすような操作を行うと、係止状態が解除される。
【００３０】
（３）係止状態が解除された状態で、使用者が、中指、薬指、及び小指をベース１１の外表面から離すと、ディスク保持部１０の自重と記録ディスクの重量との合計の重さによって、ディスク保持部１０が下方向へ移動し、ケース１００が開位置へ移行する（図１Ｂの状態になる）。
（４）ケース１００が開位置の状態で、使用者が、片手で蓋部２０の上角部分を保持したまま、反対の手でディスク保持部１０の下側を掴み、蓋部２０の上角部分を保持した手を一旦離してディスク保持部１０の上側を掴み、両手で軽く捻るような操作を行うと、記録ディスクが外れて取り出すことができる。なお、ここで両手が使えない、あるいは一切両手を使いたくない場合には、片手でディスク保持部１０の上側を掴んで、机の上などにディスク保持部１０の下側を当て、片手で軽く捻るような操作を行うことにより、記録ディスクをディスク保持部１０から外すこともできる。
【産業上の利用可能性】
【００３１】
本発明の記録ディスク用のケースは、コストが上がるような複雑な機構を設けていないにもかかわらず、従来の一般的なケースと比較して、格段に使い勝手がよいことから、ＣＤ、ＤＶＤ、及びブルーレイディスク等の、あらゆるタイプの記録ディスク用のケースとして利用可能であり、またコストが上がるような複雑な機構を設けていないことから、特に商業音楽ＣＤやブランクＣＤを販売するときの付属ケースに適している。
【符号の説明】
【００３２】
１０    ディスク保持部
１１    ベース
１２    内枠
１３    保持面
１４    環状突起
１５ａ、１５ｂ    拘束部
１６ａ〜ｃ    円弧状突起
１７ａ、１７ｂ    側面
１８ａ、１８ｂ    線状突起
１９ａ、１９ｄ    部分突起
２０    蓋部
２１    内側上面
２２ａ、２２ｂ    内側側面
２３ａ、２３ｂ    案内溝
２４ａ〜ｄ    係止孔
１００    ケース
【図１Ａ】
2010241489.tif 000003
【図１Ｂ】
2010241489.tif 000004
【図２Ａ】
2010241489.tif 000005
【図２Ｂ】
2010241489.tif 000006
【図３Ａ】
2010241489.tif 000007
【図３Ｂ】
2010241489.tif 000008
【図４】
2010241489.tif 000009
【図５】
2010241489.tif 000010
【図６】
2010241489.tif 000011
【図７Ａ】
2010241489.tif 000012
【図７Ｂ】
2010241489.tif 000013